(57)【要約】【課題】スルー画の表示が好適に行なえるカメラシステムを提供する。【解決手段】  カメラヘッドにスルー画信号処理部１０３ａを設ける。カメラ本体側のデジタル信号処理部１０３ｂで信号処理が行なえない場合にはカメラヘッド１ａ側のスルー画信号処理部１０３ａからのスルー画信号の供給を受けてスルー画の表示を行なう。このカメラシステム１の初期化を行なうにあたってカメラ本体１ｂ側では、上記スルー画信号処理部１０３ａでの処理が可能な表示モード一覧を予めカメラ本体１ｂ側に送信させ、その表示モード一覧とカメラ本体１ｂが備える表示部の表示モード一覧との中にある共通的な表示モードでスルー画の表示を行なう。【選択図】  図２
2006352435.tif 000002
【特許請求の範囲】
【請求項１】
撮影光学系と撮像素子を備えたカメラヘッドと、該カメラヘッドが着脱自在に装着され該カメラヘッドから画像信号を受け取って信号処理を行なうカメラ本体とを備えたカメラシステムにおいて、
前記カメラヘッドが、前記撮像素子で生成した動画を表わす画像信号を表示用に信号処理する動画信号処理部を備え、該動画信号処理部で処理された後の画像信号を前記カメラ本体に送信するものであり、
前記カメラ本体が、画像を表示する表示画面を具備し、前記カメラヘッドから受信した動画を表わす画像信号に基づいて前記表示画面上に動画像を表示する表示部を備えたことを特徴とするカメラシステム。
【請求項２】
前記表示部による前記表示画面上への動画像の表示が可能な画像信号の形態を表わす第１のモード一覧と、前記動画信号処理部での信号処理により生成が可能な画像信号の形態を表わす第２のモード一覧とを比較して一致するモードのうちの１つを選択するモード選択部を備え、
前記動画信号処理部は、動画を表わす画像信号に対し前記モード選択部で選択されたモードの信号処理を行なうものであることを特徴とする請求項１記載のカメラシステム。
【請求項３】
このカメラシステムが電池からの電力で動作するものであって、電池残量を検出する電池残量検出部を備え、
前記モード選択部は、前記一致するモードのうちの、前記電池残量検出部で検出した電池残量に応じたモードを選択するものであることを特徴とする請求項１記載のカメラシステム。
【請求項４】
前記第１のモードと前記第２のモードのいずれもが不一致であったときは、前記カメラヘッドは、動画を表わす画像信号に対する信号処理を省略して、前記カメラ本体に送信するものであることを特徴とする請求項２記載のカメラシステム。
【請求項５】
前記動画信号処理部は、前記第１のモードと前記第２のモードのいずれもが不一致であったときは、動作不能状態に移行するものであることを特徴とする請求項３記載のカメラシステム。
【請求項６】
前記表示部は、前記表示画面上に、前記モード選択部で選択されたモードを表示するものであることを請求項２記載のカメラシステム。
【請求項７】
前記モード選択部は、ユーザ操作に応じてモードを選択するものであることを特徴とする請求項２記載のカメラシステム。
【発明の詳細な説明】
【技術分野】
【０００１】
本発明は、撮影光学系と撮像素子を備えたカメラヘッドとそのカメラヘッドと通信を行ないカメラヘッドから画像信号を受け取って信号処理を行なうカメラ本体とを備えたカメラシステムに関する。
【背景技術】
【０００２】
最近、撮影光学系と撮像素子を備えたカメラヘッドと、カメラヘッドが着脱自在に装着されカメラヘッドから画像信号を受け取って信号処理を行なうカメラ本体とを備えたカメラシステムが提案されている（例えば特許文献１、２参照）。
【０００３】
上記のようなカメラシステムが普及してきた場合には、カメラヘッドとカメラ本体とが別売となることもあり、それぞれ適応機種であることを確かめては買うものの、撮影時になって、つまりカメラヘッドをカメラ本体に装着してみて初めて不適合であることに気が付く場合もある。最近ではＲ、Ｇ，Ｂに加えてエメラルドグリーンという４色配列を持つ特殊なＣＦＡ（Ｃｏｌｏｒ  Ｆｉｌｔｅｒ  Ａｒｒａｙ）を持った撮像素子を備えたカメラヘッドもあり、そのようなカメラヘッドがカメラ本体に装着された場合には、カメラ本体の信号変換処理部の能力では信号処理が行なえない事態が発生することが充分に予想される。このようなときに撮影が行なえないというのは如何にも不便である。
【０００４】
そこで、撮像素子で生成された画像データ（以降ＲＡＷデータという）を信号処理せずにそのまま記録するようなことが考えられる。このようにしておくと、不適合であっても撮影が行なえる。
【０００５】
しかしながら、ＲＡＷデータを記録媒体に記録しておいて、その記録媒体をＲＡＷデータの信号処理が行なえるカメラ本体に装填することにより後から信号処理を行なったりすることはできるが、撮影にあたって表示画面上にＲＡＷデータに基づくスルー画像を正規のスルー画と同じ様に表示するようにしてしまうと、見慣れない画像を見ているような奇妙な感じをユーザに与えてしまうことがある。
【特許文献１】特開平８−１７２５６１号公報
【特許文献２】特開２０００−１７５０８９号公報
【発明の開示】
【発明が解決しようとする課題】
【０００６】
本発明は、上記事情に鑑み、スルー画の表示が好適に行なえるカメラシステムを提供することを目的とする。
【課題を解決するための手段】
【０００７】
上記目的を達成する本発明のカメラシステムは、撮影光学系と撮像素子を備えたカメラヘッドと、そのカメラヘッドが着脱自在に装着され該カメラヘッドから画像信号を受け取って信号処理を行なうカメラ本体とを備えたカメラシステムにおいて、
上記カメラヘッドが、上記撮像素子で生成した動画を表わす画像信号を表示用に信号処理する動画信号処理部を備え、その動画信号処理部で処理された後の画像信号を上記カメラ本体に送信するものであり、
上記カメラ本体が、画像を表示する表示画面を具備し、上記カメラヘッドから受信した動画を表わす画像信号に基づいて上記表示画面上に動画像を表示する表示部を備えたことを特徴とする。
【０００８】
上記本発明のカメラシステムによれば、上記カメラヘッドが、上記動画信号処理部を備えていてその動画信号処理部で処理された後の画像信号がカメラ本体に送信されてくる。このため、カメラ本体はその画像信号に基づいて上記表示画面上に動画像の表示が好適に行なえる。
【０００９】
このようにカメラヘッドが動画信号処理部を備えていると、例えばカメラヘッドが備える撮像素子とカメラ本体が備える信号処理部との間に不適合があったとしても、見易いスルー画が表示画面上に表示されるようになる。その見易くなったスルー画を見て撮影が行なわれたときには、カメラ本体側の信号処理部での信号処理を行なわずに撮像素子で生成されたＲＡＷデータを記録するようなことも行なえる。
【００１０】
すなわち、スルー画の表示が好適に行なえるカメラシステムが実現される。
【００１１】
ここで、上記表示部による上記表示画面上への動画像の表示が可能な画像信号の形態を表わす第１のモード一覧と、上記動画信号処理部での信号処理により生成が可能な画像信号の形態を表わす第２のモード一覧とを比較して一致するモードのうちの１つを選択するモード選択部を備え、
上記信号処理部は、動画を表わす画像信号に対し上記モード選択部で選択されたモードの信号処理を行なうものであることが好ましい。
【００１２】
そうすると、上記モード選択部によって上記第１のモード一覧と上記第２のモード一覧とを比較して一致するモードのうちの１つ、例えば最も鮮明な画像が表示されるような表示画素数の多いモードを選択することもできる。
【００１３】
さらにこのカメラシステムが電池からの電力で動作するものであって、電池残量を検出する電池残量検出部を備えたものである場合には、
上記モード選択部は、上記一致するモードのうちの、上記電池残量検出部で検出した電池残量に応じたモードを選択するものであることが好ましい。
【００１４】
そうすると、上記第１のモード一覧と上記第２のモード一覧とを比較して一致するモードのうちの画素数の多いモードを最初に選択して電池残量が低下してきたらその残量に応じて除々に画素数の少ないモードへの切り替えを行っていくようなことが行なえる。
【００１５】
すなわち、電池の残量に応じた好適な画像の表示が行なえるようになる。
【００１６】
また、上記第１のモードと上記第２のモードとのいずれもが不一致であったときは、上記カメラヘッドは、動画を表わす画像信号に対する信号処理を省略して、上記カメラ本体に送信するものであることが好ましい。
【００１７】
上記のような場合には、ＲＡＷデータの記録を行なうだけでスルー画の表示を禁止する処理を行なうことができる。また、ＲＡＷデータに基づくスルー画像をわざわざ表示するようにして、見慣れない画像が表示されているということを以ってカメラヘッドとカメラ本体との間の不適合性をユーザに通知するようなことも行なえる。
【００１８】
またこのときには無駄な電力消費を抑制するように上記動画信号処理部は、上記第１のモードと上記第２のモードとのいずれもが不一致であったときは、動作不能状態に移行するものであると良い。
【００１９】
また、上記表示部は、上記表示画面上に、上記モード選択部で選択されたモードを表示するものであることが好ましい。そうすると、ユーザにとっては、例えばＶＧＡモードであるとか、ＸＧＡモードであるとかの表示モードが一目で分かるようになる。
【００２０】
また、上記モード選択部は、ユーザ操作に応じてモードを選択するものであることが好ましい。
【００２１】
そうすると、ユーザ操作によって好きな表示モードでスルー画を表示させることができるようになる。
【発明の効果】
【００２２】
以上、説明したように、スルー画の表示が好適に行なえるカメラシステムが実現される。
【発明を実施するための最良の形態】
【００２３】
以下、本発明の実施の形態について説明する。
【００２４】
図１は、本発明の一実施形態であるカメラシステムを示す図である。
【００２５】
図１に示すように本実施形態のカメラシステム１は、カメラヘッド１ａとカメラ本体１ｂとを備える。図１には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。
【００２６】
カメラヘッド１ａの外観は従来の交換レンズと同様のものである。
【００２７】
カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。
【００２８】
この多数のマウント接点の中のそれぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。
【００２９】
このヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出され後述するデジタル信号変換処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、図１には複数のカメラヘッドのうちの一つが例として、また複数の本体のうちの一つが例としてそれぞれ示されている。また、背面側にはメニュー釦を含む操作子群およびＬＣＤパネルなどが配備されている。
【００３０】
ここで図２を参照してカメラヘッド１ａとカメラ本体１ｂの内部の構成を説明する。
【００３１】
図２はカメラヘッド１ａがカメラ本体１ｂに装着された状態にあるときの電気系統の構成を示すブロック図である。
【００３２】
図２の上方側にはカメラヘッド１ａの構成が、また図２の下方側にはカメラ本体１ｂの構成がそれぞれ示されている。
【００３３】
まず、カメラヘッド１ａ側の構成を説明する。
【００３４】
本実施形態のカメラシステム１を構成するカメラヘッド１ａは、カメラ本体１ｂに装着されてカメラ本体１ｂ側のバッテリＢｔから電力の供給を受けて動作するものであって、カメラヘッド１ａ側の電源制御部１００ａおよびＤＣ／ＤＣコンバータ１０１ａはカメラ本体１ｂ側の電源制御部１４０ｂに制御されるものであるので、カメラヘッド１ａ側の電源制御部１００ａとＤＣ／ＤＣコンバータ１０１ａの構成についてはカメラ本体１ｂ側の電源制御部１４０ｂとＤＣ／ＤＣコンバータ１４１ｂの構成を説明するときにあわせて説明する。
【００３５】
図２に示すようにこのカメラシステム１を構成するカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号変換処理部１３ａに出力してそのアナログ信号変換処理部１３ａでノイズ低減の処理などを行なった後、後段のＡ／Ｄ部１４ａでアナログ信号の画像信号をデジタル信号の画像信号に変換して高速シリアルドライバ１５０ａに供給している。この高速シリアルドライバ１５０ａにより駆動される高速シリアルＩ／Ｆによってカメラ１ｂ本体側にデジタル信号になった画像信号が送信される。勿論、この高速シリアルＩ／Ｆを駆動する高速シリアルドライバ１５０ｂはカメラ本体１ｂ側にも配備されていて双方のドライバによって高速シリアルＩ／Ｆは駆動される。この高速シリアルＩ／Ｆを通ってカメラ本体１ｂに供給される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。これらの画像信号のうちのいずれかがカメラ本体１ｂ側からの要求によって高速シリアルＩ／Ｆを通ってカメラ本体側に送信される。また、本実施形態のカメラヘッドはスルー画信号処理部を備えており、そのスルー画信号処理部で信号処理したスルー画信号をカメラ本体に供給することもできるようにしてある。もしも、カメラヘッドがカメラ本体に装着されカメラヘッド側の撮像素子などのコンフィンギュレーション情報がカメラ本体に送信されたときにカメラ本体がカメラヘッドの不適合を検知したときには、カメラ本体は３線シリアルＩ／Ｆを通してカメラヘッドに対してスルー画信号を送信するように要求を行なうこともできるようにしている。
【００３６】
一方、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータＩ／Ｆ１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００３７】
これらのＣＣＤ１２ａ、アナログ信号変換処理部１３ａ、Ａ／Ｄ部１４ａ、積算回路１６ａはタイミングジェネレータ（以下ＴＧという）１８ａからのタイミング信号に同期して動作するものであり、そのＴＧ１８ａの動作はヘッドＣＰＵ１９ａに制御されている。このヘッドＣＰＵ１９ａはシステムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、ＡＥやＡＦの処理手順やシリアルＩ／Ｆでの通信に関する処理手順などを示すプログラムが格納されている。また、このプログラムの中には、モードダイヤルによって撮影モードが選択され、さらに静止画撮影モードが選択されたときに起動されるスルー画処理プログラムや静止画処理プログラム、また動画撮影モードが選択されたときに起動される動画処理プログラムなども格納されている。これらの処理手順にしたがって、積算回路１６ａの動作やＴＧ１８ａの動作や不揮発性メモリ１９１ａのリードライト動作や３線シリアルドライバ１５１ａの動作や高速シリアルドライバ１５０ａの動作などがすべてヘッドＣＰＵ１９ａによって制御されている。
【００３８】
また、不揮発性メモリ１９１ａには、カメラヘッド識別用のＩＤ情報と、カメラヘッド１ａからカメラ本体１ｂに渡す画像信号のカメラ本体１ｂでの信号処理に必要な信号変換処理情報とが不揮発的に記憶されており、カメラ本体１ｂからそれらの情報の送信の要求を表すコマンドが３線シリアルＩ／Ｆを経由して送信されてきたら、その不揮発性メモリ１９１ａ内のＩＤ情報のみが、もしくはＩＤ情報と信号変換処理情報との双方が３線シリアルＩ／Ｆを経由してカメラ本体１ｂに送信される。カメラ本体１ｂ側にも３線シリアルＩ／Ｆを駆動する３線シリアルドライバ１５１ｂが配備されており、双方のドライバで駆動されるシリアルＩ／Ｆによってカメラ本体１ｂからカメラヘッド１ａへ、あるいはカメラヘッド１ａからカメラ本体１ｂへのコマンドのやり取りが行なわれる。例えばカメラ本体１ａからカメラヘッド１ｂへＩＤ情報の送信を要求するコマンドが送信されたら、そのコマンドに応じてカメラヘッド１ａからカメラ本体１ｂへそのコマンドに応じて３線シリアルＩ／ＦによってＩＤ情報や信号変換処理情報（前述のコンフィギュレーション情報）が送信され、カメラ本体１ｂから画像信号の送信の要求に対応するコマンドが通信により送信されてきた場合には、その３線シリアルＩ／Ｆよりも高速の高速シリアルＩ／Ｆによってデジタル信号になった画像信号がカメラ本体１ｂへ送信される。
【００３９】
ここで、図２を離れて、その不揮発性メモリ１９１ａに記憶されているＩＤ情報や信号変換処理情報といったコンフィギュレーションの内容を図３、図４を参照して説明しておく。
【００４０】
図３は、ＩＤ情報と信号変換処理情報とを示す図であり、図４はＣＣＤ１２ａの撮像面を示す図であって、図３の信号変換処理情報の意味を説明する図である。
【００４１】
図３に示す最上部にＩＤ情報が示されており、その下方に信号変換処理情報が示されている。図３に示すＩＤ情報は例えばこのカメラヘッドの識別用のＩＤ番号などであり、このＩＤ番号がヘッド装着時にカメラ本体側へダウンロードされどのような種別のカメラヘッドがカメラ本体に装着されたかということがカメラ本体側の本体ＣＰＵ１００ｂ（図２参照）により認識される。この図３に示す信号変換処理情報はカメラヘッド１ａが有しているものであるが、本実施形態ではカメラ本体１ｂも図３に示す信号変換処理情報を有しており、カメラヘッド１ａからＩＤ情報をダウンロードしたときにそのＩＤ情報に対応する信号変換処理情報があれば、その信号変換処理情報がデジタル信号変換処理部１０３ｂにセットされるようになっている。つまりＩＤ情報がカメラ本体側にあるものであれば、信号変換処理情報をわざわざカメラヘッド１ａからダウンロードする必要がない訳である。
【００４２】
しかし、すべてのＩＤ情報と信号変換処理情報とを記憶しておくことはカメラ本体側のメモリの容量から考えて非効率的であるので、カメラヘッドから図３に示す信号変換処理情報をダウンロードすることができるようにしてある。
【００４３】
その信号変換処理情報としては、上から順に、ＣＣＤ１１ａのＣＦＡの配列やＣＣＤ１１ａの画素数（静止画の場合、スルー画の場合、動画の場合の３通り）、有効取り込み位置を示す座標と画素数、黒レベルの基準になるオプティカルブラック（以下ＯＢという）の位置を示す座標や、コンポーネント順、Ａ／Ｄのビット深さ、ＣＣＤ傷位置などが示されている。
【００４４】
また、図３に示す信号変換処理情報のうち、画素数は、横画素の個数Ｗと縦画素の個数Ｈの組み合わせ（Ｗ，Ｈ）で示されている。この（Ｗ，Ｈ）は、図４に示すように、横方向の画素数と縦方向の画素数を示すものであって、符号Ｗ１によって撮像面の幅方向の最大画素数が、符号Ｈ１によって撮像面の高さ方向の最大画素数がそれぞれ示されている。つまり、（Ｗ１  Ｈ１）の場合には、このＣＣＤ１２ａが持つすべての画素が使用されて静止画信号が生成されることが信号変換処理情報の一つとして示されている。また、スルー画信号が静止画信号の画素数（Ｗ１  Ｈ１）よりも少ない画素数（Ｗ２  Ｈ２）で生成されることが、動画信号も静止画信号の画素数（Ｗ１  Ｈ１）よりも少ない画素数（Ｗ３  Ｈ３）によって生成されるということが信号変換処理情報の一つとして示されている。また、スルー画信号、動画信号などの有効取り込み位置の座標が（Ｘ  Ｙ）で示され、その有効取り込み領域（図中点線で示す領域）内の画素数が（Ｗ４，Ｈ４）の組み合わせで示されている。
【００４５】
さらに、このＣＣＤ１２ｂの撮像面上には、このＣＣＤ１２ｂで撮像したときの黒色レベルをカメラ本体１ｂ側のデジタル信号変換処理部１０３ｂに知らせるためのオプティカルブラック（以下ＯＢという）という領域が設けられている。このＯＢ領域の開始座標（ＸＯＢ）と長さ（ＷＯＢ）もそれぞれ信号変換処理情報の一つとして示されている。
【００４６】
また、Ａ／ＤＢｉｔ深さで１画素が何ビットのデータで構成されるかも信号変換処理情報の一つとして示されている。この１画素辺りのビット数は８ビット〜１４ビットまでのものがあり、このビット数が信号変換処理情報の一つとして示されている。さらにＣＣＤ傷位置により欠陥画素の座標位置（Ｘ，Ｙ）も信号変換処理情報の一つとして示されている。図４中には、（Ｘｔ１，Ｙｔ１）と（Ｘｔ２，Ｙｔ２）と（Ｘｔｎ，Ｙｔｎ）との３箇所に欠陥画素があることが示されている。この欠陥画素があった場合にはその欠陥画素に隣接している複数の画素を用いて補間処理などが行なわれてその欠陥画素が修復される。
【００４７】
このような信号変換処理情報がカメラ本体１ｂ側のデジタル信号変換処理部１０３ｂにセットされると、高速シリアルＩ／Ｆを経由して送られてきた画像信号にカメラヘッド内のＣＣＤに適した処理が施される。
【００４８】
以上がカメラヘッド１ａの構成である。
【００４９】
図２に戻ってカメラ本体１ｂの構成を説明する。
【００５０】
カメラ本体１ｂの動作は本体ＣＰＵ１００ｂにより統括的に制御される。このカメラ本体１ｂ側にもプログラムが格納されているシステムメモリ１０１ｂや、カメラヘッド１ｂ側から送信されてきたＩＤ情報や信号変換処理情報を書き込み自在かつ不揮発的に記憶しておくための不揮発性メモリ１０２ｂが配備されている。なお、システムメモリ１０１ｂの中には、このカメラシステムのメイン処理の手順を示すプログラムが記述されており、その中にはカメラヘッド１ａ側のヘッドＣＰＵ１９ａと連携してスルー画信号の処理を行なう場合の処理手順であるとか、静止画信号の処理を行なう場合の処理手順であるとか、動画信号の処理を行なう場合の処理手順であるとかも記述されている。
【００５１】
そのシステムメモリ１０１ｂに格納されているプログラムにしたがって本体ＣＰＵ１００ｂによって、３線シリアルＩ／Ｆでのコマンドのやり取りや高速シリアルＩ／Ｆでの画像信号の受信などが制御される。その３線シリアルＩ／Ｆの駆動は、３線シリアルドライバ１５１ｂによって、また高速シリアルＩ／Ｆの駆動は３線シリアルドライバ１５０ｂにより行なわれ、それらのドライバの動作が本体ＣＰＵ１００ｂによってそれぞれ制御されている。
【００５２】
前述したようにカメラヘッド側の３線シリアルドライバ１５１ａ側とカメラ本体側の３線シリアルドライバ１５１ｂによってシリアルＩ／Ｆが駆動されてコマンドのやり取りが行なわれ、カメラ本体１ｂ側からＩＤ情報や信号変換処理情報の送信の要求を表すコマンドが３線シリアルＩ／Ｆを経由してカメラヘッド１ａに送信されたら、ヘッドＣＰＵ１９ａによってカメラヘッド１ａの不揮発性メモリ１９１ａ内に記憶されているＩＤ情報と信号変換処理情報が読み出され３線シリアルドライバ１５１ａにそのＩＤ情報と信号変換処理情報が供給され、そのＩＤ情報と信号変換処理情報が３線シリアルＩ／Ｆによってカメラ本体１ｂへ送信されてくる。このようにしてカメラ本体１ｂにＩＤ情報と信号変換処理情報とが送信されてきたら、本体ＣＰＵ１００ｂの制御の基に３線シリアルドライバ１５１ａによってそのＩＤ情報と信号変換処理情報が受信され、さらにそのＩＤ情報と信号変換処理情報が不揮発性メモリ１０２ｂに記憶される。この不揮発性メモリ１０２ｂは、ＩＤ情報と信号変換処理情報とのペアを複数のカメラヘッド分記憶する容量を有するメモリであって、このカメラ本体１ｂの不揮発性メモリに過去に記憶されたＩＤ情報以外のＩＤ情報を持つカメラヘッドが装着されたときには、それらのＩＤ情報と信号変換処理情報をダウンロードして記憶するようになっている。
【００５３】
この３線シリアルＩ／Ｆを用いてのＩＤ情報と信号変換処理情報の送信の要求は、カメラヘッド１ａの装着および電源ＳＷ１４ｂによる電源投入のうちのいずれか一方のイベントの発生を受けて行なわれるものであって、いずれかのイベントが発生したら常時バッテリＢｔからの電力の供給を受けている電源制御部１４０ｂ、さらにＤＣ／ＤＣコンバータを介して電力が本体ＣＰＵ１００ｂを含む各部に供給される。このときにはカメラヘッド側のＤＣ／ＤＣコンバータにもマウント接点を介して電力が供給されカメラヘッド各部に電力が供給される。そうしたら本体ＣＰＵ１００ｂは３線シリアルドライバ１５１ｂを制御してその３線シリアルドライバ１５１ｂで駆動されるシリアルＩ／Ｆを通してカメラヘッド１ａにＩＤ情報の送信を要求し、受信したＩＤ情報が不揮発性メモリ１０２ｂに記憶されたＩＤ情報とは不一致であったときにはカメラヘッド１ａに信号変換処理情報の送信を要求し、受信したＩＤ情報と信号変換処理情報を不揮発性メモリ１０２ｂに記憶する処理を行なっている。
【００５４】
このようにカメラヘッド１ａが装着されたときに、または電源スイッチ１４ｂが投入されたときに、ＩＤ情報、場合によってはそのＩＤ情報に対応する信号変換処理情報が本体ＣＰＵの制御の基に不揮発性メモリ１０２ｂに記憶され、さらにその信号変換処理情報が信号変換処理部１０３ｂにセットされたらこのカメラシステム１は撮影スタンバイとなる。
【００５５】
しかし、装着されたカメラヘッドから送信されてくる信号変換処理情報の中のＣＦＡなどが例えばエメラルドグリーンの配色を持つフィルタを有する撮像素子であった場合などは信号変換処理部で信号処理が行なえない状況が発生することもある。このような状況が発生して撮影が行なえないというのでは不便なので、ここでは、本体ＣＰＵ１００ｂがデジタル信号変換処理部１０３ｂでの信号処理が行なえるかどうかをカメラヘッド側から送信されてくるＩＤ番号と信号変換処理情報に基づいて判定している。本体ＣＰＵ１００ｂが信号処理が行なえるかどうかを判定した結果、カメラヘッド１ａの信号変換処理情報に応じた信号処理がデジタル信号変換処理部１０３ｂで行なえいと判定した場合には、信号変換処理部１０３ｂで信号処理を行なわずに、あるいは欠陥画素の修復以外の信号処理を行なわずにいわゆるＲＡＷ（生）データを記録メディアであるメモリカードへ記録するようにもしている。
【００５６】
また、本実施形態においては、カメラ本体側のＬＣＤパネル上にできるだけ鮮明なスルー画の表示が行なえるように、カメラヘッド１ａにスルー画信号処理部１０３ａを設けてスルー画信号処理部１０３ａからのスルー画信号の供給を受けてＬＣＤ１０５０のパネル上にスルー画の表示を行なうようにもしている。本実施形態においては、本体ＣＰＵ１００ｂがカメラ本体１ｂ側の信号処理部１０３ｂでは信号処理が行なえないと判定した場合に３線シリアルＩ／Ｆを用いてヘッドＣＰＵ１９ａにスルー画信号処理部１０３ａで生成されたスルー画の送信を要求する送信要求を送信することによりカメラヘッド側からカメラ本体側へスルー画信号を送信させるようにしている。さらにこのスルー画信号に基づくスルー画の表示を行なうにあたって、本体ＣＰＵ１００ｂは、スルー画の送信要求を出す前に、カメラヘッド側に対して表示モード一覧の送信要求（以降マップリクエストという）を行なってスルー画信号処理部１０３ａでの信号処理により生成が可能な画像信号の形態を表わす、本発明にいう第２のモード一覧を送信させてカメラ本体側の不揮発性メモリに予め記憶しておいたＬＣＤ制御部によるＬＣＤパネル上への動画像の表示が可能な画像信号の形態を表わす、本発明にいう第１のモード一覧とを比較して一致する表示モードを選択するような処理を行なっている。このようにしておくと、スルー画を表示画面上に表示するにあたって、カメラヘッド側とカメラ本体側との双方に共通の表示モードによる、鮮明なスルー画表示が行なえる。
【００５７】
このように本実施形態においては本体ＣＰＵ１００ｂが、カメラ本体１ｂに装着されたカメラヘッド１ａからダウンロードされてくるＩＤ番号に基づいてカメラヘッド１ａの種別を認識し、そのＩＤ番号に対応する信号変換処理情報に基づいてカメラヘッドから受信した画像信号に信号処理が行なえるかどうかを判定するようにし、さらに表示マップリクエストを行なってスルー画の表示を鮮明に行なうことができるかどうかを判定するようにもして、このカメラシステムでの撮影が好適に行なえるように工夫を凝らしている。
【００５８】
こうしてカメラ本体１ｂ側のデジタル信号処理部１０３ｂでは信号処理が行なえない場合には、カメラヘッド１ａ側のスルー画信号処理部１０３ａで信号処理されたスルー画信号に基づくスルー画の表示が行なわれ鮮明なスルー画の表示が行なわれるようになる。このときには、カメラ本体１ｂからスルー画信号の送信の要求を表すコマンドが３線シリアルＩ／Ｆを通してカメラヘッド１ａに送信されてきたときにカメラヘッド１ａ側のヘッドＣＰＵ１９ａがそのスルー画の送信の要求を受けて、スルー画信号処理部１０３ａにスルー画信号を生成させて高速シリアルドライバにより駆動される高速シリアルＩ／Ｆを通してカメラ本体１ｂに送信させる。カメラ本体１ｂ側の本体ＣＰＵ１００ｂによってその送信されてきた画像データがフレームメモリ１０４ｂに記憶され、そのフレームメモリ１０４ｂに記憶された、カメラヘッド１ａ側のスルー画処理部１０３ａで生成されたスルー画信号であるＹＣ信号がＬＣＤ制御部１０５ｂに供給され、そのＬＣＤ制御部１０５ｂによってＬＣＤ１０５０ｂのパネル上にスルー画が表示される。
【００５９】
このフレームメモリ１０４ｂ、ＬＣＤ制御部１０５ｂおよびＬＣＤ１０５０ｂが本発明にいう表示部にあたる。
【００６０】
このようにしておくと、カメラ本体側で信号処理が行なえなくてもスルー画の表示が確実に行なえるようになる。
【００６１】
このスルー画を見ながらレリーズ釦１３ｂが押されたときには、本体ＣＰＵ１００ｂおよびヘッドＣＰＵ１９ａとの双方に割り込み信号が供給され、そのスルー画の処理が中断されて外部割込みによりシステムメモリ内に記述されている静止画処理プログラムが起動される。図２に示すように、レリーズ釦１３ｂが押されたときには本体ＣＰＵ１００ｂ、ヘッドＣＰＵ１９ａとも外部割り込み入力ピンに直接レリーズ信号が入力されるようになっている。カメラヘッド１ａ側のヘッドＣＰＵ１９ａはレリーズ釦１３ａが押されたときの割り込みタイミングでＴＧ１８ａからＣＣＤ１２ａへ露光開始の信号を供給させてＣＣＤ１８ａに露光を開始させている。その後ＴＧ１８ａからＣＣＤ１２ａへ露光終了の信号を供給させてＣＣＤ１２ａに全画素データからなる静止画信号をアナログ信号処理１３ａへ出力させている。そのアナログ信号変換処理部１３ａに出力させた静止画信号が、アナログ信号変換処理部からＡ／Ｄ部１４ａ、高速シリアルＩ／Ｆ１５０ａを通ってデジタル信号変換処理部１０３ｂに供給され、さらにその信号変換処理部１０３ｂでＪＰＥＧ圧縮されたＪＰＥＧファイルが本体ＣＰＵの制御の基にカードＩ／Ｆ１０６ｂを介して、メモリカードスロット１０７ｂに装填されたメモリカード１０８ｂに記憶される。モードダイヤル１４ｂが動画モードになっているときにはレリーズ釦１３ｂの操作により割り込みが発生して動画処理プログラムが起動され、動画信号が所定の時刻ごとに高速シリアルＩ／Ｆを通ってデジタル信号変換処理部１０３ｂに供給され、モーションＪＰＥＧあるいはＭＰＥＧ圧縮が行なわれてメモリカード１０８ｂに記録される。また、カメラ本体側のデジタル信号処理部で信号処理が行なえないときにはそのままＲＡＷデータが記録される。
【００６２】
ここで信号変換処理情報がセットされるデジタル信号変換処理部１０３ｂの動作を、図５を参照して詳細に説明しておく。
【００６３】
図５はデジタル信号変換処理部１０３ｂの信号変換処理プロセスを説明する図である。
【００６４】
このデジタル信号変換処理部１０３ｂは、動的プログラマブルＤＳＰ（Ｄｉｇｉｔａｌ  ｓｉｇｎａｌ  ｐｒｏｃｅｓｓｏｒ）と呼ばれるもので構成される。このデジタル信号変換処理部１０３ｂに信号変換処理情報が外部からセットされるとその信号変換処理情報に応じた処理が行なれる。ここでは、図３に示す信号変換処理情報がこのＤＳＰで構成されるデジタル信号変換処理部１０３ｂの能力に応じるものであったら、その信号変換処理情報がデジタル信号変換処理部１０３ｂにセットされる。その信号変換処理情報がセットされた信号変換処理部１０３ｂにカメラヘッド１ａ側から高速シリアルＩ／Ｆを通ってスルー画信号、静止画信号、動画信号が送信されてきたらその信号変換処理情報に基づいた信号処理がスルー画信号、あるいは静止画信号、あるいは動画信号に施される。
【００６５】
この図５にはＬＣＤ１０５ｂのパネル上にスルー画が表示されるときのプロセスが示されている。図５を参照してデジタル信号変換処理部１０３ｂで行なわれるスルー画信号の信号処理を説明する。
【００６６】
図５に示すように、まずステップＳ５０１で欠陥画素補正処理が行なわれ、次のステップＳ５０２でＯＢオフセット補正が行なわれる。ステップＳ５０１の欠陥画素（キズ）補正では、図４に示す欠陥画素の周辺の画素を用いて補間処理が行なわれ欠陥画素の修復が行なわれる。またステップＳ５０２のＯＢオフセット処理では、図３に示すＯＢ領域の画像信号を基準レベル（黒レベル）として、ＯＢ領域以外の画像信号をその基準レベルにクランプする処理が行なわれる。このクランプ処理がＯＢオフセット処理にあたり、そのオフセット補正が行なわれた後、ステップＳ５０３で今度は黒レベルに対して白レベルの調整つまりホワイトバランス（ＷＢ）の調整が行なわれる。この白色というのは、Ｒ、Ｇ、Ｂの加法色混合によって生成されるものであってＲ，Ｇ，Ｂそれぞれのゲインが等しくなるようにＲ、Ｇ，Ｂ信号それぞれのゲインを調整しないと純度の高い白色が得られない。ここではその純度の高い白色を得るために、ＡＷＢセンサ１１ｂによって検出された光源種の色温度に応じて純度の高い白色が得られるようにＲ，Ｇ，Ｂそれぞれのゲインをあわせる処理が行なわれている。このようにしてＲ、Ｇ、Ｂそれぞれのゲイン調整が行なわれてホワイトバランス調整が行なわれたら、ステップＳ５０４でリニアマトリクス処理、つまりＲＧＢ信号から輝度信号と色度信号からなるＹＣＣ信号への変換が行なわれる。ここではＲＧＢに例えば３×３の色変換行列が掛け合わされてＹ信号，Ｃｒ信号，Ｃｂ信号への変換が行なわれる。例えばコントラストをアップさせたければ、３×３の色変換行列の係数のうち、対角要素の重みを大きくしてＹＣ信号への変換を行なえばコントラストがアップされた輝度信号と色度信号とからなるＹＣ信号等が生成される。次のステップＳ５０５へ進んでＹ信号にガンマ補正が行なわれ、さらに次のステップＳ５０６でＹ信号とＣ信号が同時化される。そうしたら輝度信号（Ｙ）側の処理としてステップＳ５０７２で輪郭強調用処理が行なわれ、クロマ信号（Ｃ）側の処理としてステップＳ５０７１で色差マトリクス処理が並行して行なわれる。双方の処理が終了したら表示可能になったスルー画信号がフレームメモリに記憶されてそのフレームメモリに記憶されたスルー画信号に基づくスルー画がＬＣＤパネル上に表示される。
【００６７】
このようにカメラヘッド１ａからダウンロードした信号変換処理情報がデジタル信号変換処理部１０３ｂにセットされて、そのセットされた内容に応じてデジタル信号変換処理部１０３ｂによって画像信号の処理が行なわれる。
【００６８】
前述したように本実施形態においては、この図５の信号処理部での信号処理が行なえないカメラヘッドが装着されたときにはカメラヘッドに備えられているスルー画信号処理部１０３ａにより生成が可能な画像信号の形態を表わす第２のモード一覧、つまりマップリクエスト（送信要求）をカメラヘッドに対して行なうようにもしている。
【００６９】
図６は、カメラヘッド１ａとカメラ本体１ｂとの間で行なわれる表示モード設定に関する初期化処理の手順を説明するフローチャートである。図６を参照して表示モードの設定処理を説明する。
【００７０】
なお、カメラ本体側の処理は、本体ＣＰＵ１００ｂが行なうものであり、カメラヘッド側の処理はヘッドＣＰＵ１９ａが行なうものである。本体ＣＰＵが行なう処理についてはベース側の処理ということを表わすため最後尾にＢという符号を付し、ヘッドＣＰＵが行なう処理についてはヘッド側の処理ということを表わすため最後尾にＨという符号を付して以降説明する。
【００７１】
まず、ステップＳ６０１Ｂで本体ＣＰＵ１００ｂはカメラ本体１ｂ側から表示モードのマップリクエスト（送信要求）をカメラヘッド１ａ側に送信する。そのマップリクエストを受けてステップＳ６０２ＨでヘッドＣＰＵはカメラヘッド１ａ側で出力可能な表示モードのマップをカメラ本体に返信する。
【００７２】
これを受けて本体ＣＰＵ１００ｂは、返信されてきたマップを参照してＬＣＤパネル上に表示することが可能な表示モードの照会を開始する。具体的にはステップＳ６０３Ｂで本体ＣＰＵ１００ｂが、予め不揮発性メモリ１０２ｂ内に記憶しておいた、表示部（ＬＣＤ制御部１０５ｂとＬＣＤ１０５０ｂ）によるＬＣＤパネル上への動画像の表示が可能な画像信号の形態を表わす第１のモード一覧と、通知されてきた、スルー画信号処理部１０３ａでの信号処理により生成が可能な画像信号の形態を表わす第２のモード一覧とを比較して一致するモードのうちの１つを選択する処理を行なっている。そしてステップＳ６０４Ｂでカメラヘッドに対してその選択した表示モードを通知するようにしている。この通知を受けたヘッドＣＰＵ１９ａは、スルー画信号処理部１０３ａにカメラ本体側から通知された表示モードを設定し、表示モードの設定が完了したら本体ＣＰＵ１００ｂに対して表示モードの設定完了通知を送信する。本体ＣＰＵ１００ｂはそれを受けてＬＣＤ制御部に表示モードを設定する。その後、ヘッドＣＰＵ１９ａは、スルー画信号処理部１０３ａに表示データとなるスルー画信号の生成を開始させてカメラ本体側へ送信させる。その送信を受けて、本体ＣＰＵ１００ｂは、そのスルー画信号に基づくスルー画をＬＣＤ制御部１０５ｂに転送してＬＣＤパネル上にスルー画の表示を行なわせてこのフローの処理を終了する。
【００７３】
図７は、カメラ本体１ｂとカメラヘッド１ａとの双方の表示モードの一覧を示す図である。
【００７４】
図７（ａ）には、表示画素数の少ない、粗い表示モードから表示画素数の多い、高精細な表示モードに至るまでの表示モードが順に並べられており、それらの各表示モードによる表示に必要な画素数と動画表示に必要なフレームレートがあわせて示されている。さらにフレームレートの隣には、それらの各表示モードによる表示画面上への表示が行なえるかどうかがＡｖａｉｌａｂｌｅ（可能である）という文字により示されている。
【００７５】
このＡｖａｉｌａｂｌｅ（可能である）という文字によって、カメラ本体側においてはその表示モードでのＬＣＤ上への表示が可能であることが示され、カメラヘッド側においてはスルー画信号処理部１０３ａでの処理によりその表示モードでのスルー画信号の出力が可能であることが示されている。
【００７６】
本体ＣＰＵ１００ｂおよびヘッドＣＰＵ１９ａは、これらの表示モードの中から表示することが可能（Ａｖａｉｌａｂｌｅ）なモードを選択する処理を行なっている訳である。
【００７７】
例えば、ＶＧＡ（６４０×４８０）という表示モードであれば、カメラ本体１ｂ側とカメラヘッド１ａ側とも処理可能であるということになる。この例においては図７（ｂ）に示すようにＱＶＧＡ、ＶＧＡ、ＳＸＧＡの３種類の表示モードの処理が可能であることが分かる。
【００７８】
そこで、本体ＣＰＵ１００ｂは、図７（ｃ）に示すように最も画素数が多く、フレームレートも放送信号と同じ３０ｆｐｓのＳＸＧＡ（ハッチング部）を選択して表示するようにしている。
【００７９】
このようにすると、カメラヘッド側とカメラ本体側との双方の共通の表示モードであってその中でも最も高精細な画像の表示が行なえる解像度を選択するができるので鮮明なスルー画の表示が行なえるようになる。
【００８０】
以上説明したように、スルー画の表示が好適に行なえるカメラシステムが実現される。
【００８１】
図８は第２の実施形態を説明する図である。
【００８２】
図８に示すカメラシステムにおいては、カメラヘッド側の表示モード一覧とカメラ本体側の表示モード一覧とを比較したときに一致するものがなかった場合の処理を説明する図である。
【００８３】
図２の構成と同様であるが、図２の構成に加えてカメラヘッド１ｂ側のＡ／Ｄ部１４ａの後段にセレクタ１０５ａを付加し、さらにカメラ本体１ｂ側に表示モード判断設定部１０５２ｂを付加している。
【００８４】
図９は、その図８の構成を持つカメラシステムの、カメラ本体１ｂとカメラヘッド１ａの間で行なわれる表示に関する初期化処理の手順を示す図である。
【００８５】
図６の処理とほぼ同様であるが、本体ＣＰＵ１００ｂの制御の基、表示モード判断設定部１０５２ｂに行わせる判断ステップＳ６０３５Ｂを付加している。さらにこの判断ステップＳ６０３５Ｂで表示可能なモードが無いと判定されたときには、カメラ本体側カメラヘッド側にＲＡＷデータの送信要求を行なう。この送信要求に応えてヘッドＣＰＵ１９ａがステップＳ６０３６ＨでＡ／Ｄ部１４ａ後段のセレクタ１０５ａを切り替えてＲＡＷデータをカメラ本体に送信する準備を整え、次にステップＳ６０３７ＨでＲＡＷデータの送信準備が完了したということをカメラ本体へ通知するようにしている。
【００８６】
このようにしておくと、表示モードが一致しないときには、ＲＡＷデータに基づく画像をスルー画として表示させることもできる。
【００８７】
ただし課題にも掲げたようにＲＡＷデータに基づくスルー画が表示画面上に表示されたとしても、その画像を視認するユーザに、見慣れない画像を見ているような感じを与えてしまうことがあるので、ここではこのＲＡＷデータに基づくスルー画を表示することによってカメラヘッドとカメラ本体との間に不適合性があるけれども撮影が行なえない訳ではないという程度の注意をユーザに対して通知するような作用を与えることを考えている。
【００８８】
このようにしておくと、双方の表示モードが一致しないときには、ＲＡＷデータに基づく画像をスルー画として表示するようにして、むやみに撮影を禁止する処理を行なわずにユーザに撮影を行なうか否かを選択させるようなことが行なえる。
【００８９】
いままでは、スルー画の鮮明な表示について述べてきたが、スルー画の表示に際してあまり画素数の多いものを用いると、電力消費は増大する。もしもバッテリＢｔの残量が少ないときに、双方が有する表示モードのうち、最も画素数の多いものを選択し設定してずっと表示し続けるようなことを行なってしまうと、やがてバッテリの残量がなくなってカメラシステムが動作しなくなってしまう。
【００９０】
例えば電池残量検出部を設けてその電池残量検出部による検出により電池残量が少なくなってきたということが検出されたら、電力消費が低減されるような表示モードに切り替えようにしておくと、このカメラシステムで用いられるバッテリの電力消費量は低減される。
【００９１】
図１０は、電池残量検出部１４２ｂを設けてバッテリＢｔの残量に応じて表示モードを変更するようにした場合の例を示す図である。図１１は、図１０の構成のときにカメラ本体とカメラヘッドとの間で行なわれる表示に関する初期化処理の手順を示す図である。
【００９２】
図１０に示すように電池残量検出部１４２ｂで検出された電圧が本体ＣＰＵ１００ｂに通知されてその本体ＣＰＵ１００ｂによってバッテリＢｔの残量が検知されるようになっている。
【００９３】
図１１の処理は、ほぼ図６と同様の処理であるが、図６のステップＳ６０３とステップＳ６０４とを、電池残量検出部１４２ｂに行なわせる電圧判断ステップＳ６０３１Ｂとその判断結果に応じた表示モードの選択ステップＳ６０４１Ｂ〜６０４３Ｂとに変更している。
【００９４】
この例においては、ステップＳ６０３１Ｂで電圧が相対的に高いと判定した場合にはＨＩＧＨ側に進んで高画質な表示モードを選択するようにして、このステップＳ６０３１Ｂで上記高いと判定した場合よりも相対的に低いと判定した場合には、ＭＩＤ（ＤＬＥ）側に進んで消費電力が低減されるような標準的な表示モードを選択して、さらにそのＭＩＤ（ＤＬＥ）の状態のときよりもさらに相対的に電圧が低くなっていると判定した場合には、ＬＯＷ側に進んで消費電力がさらに低減されるような表示モードを選択してカメラヘッド側に表示モードを通知するように変更している。
【００９５】
このようにしておくと電池の残量が多い場合には、画素数の多い表示モードを選択することができ、電池の残量に応じてより消費電力が低減されるような、画素数の少ない表示モードへの切り替えが好適に行なえるようなる。
【００９６】
図１２は、表示モードそれぞれの消費電力の違いを説明する図である。
【００９７】
図１２（ａ）には、表示モードの画素数の順位を項目として複数の表示モードが示されており、図１２（ｂ）には、各表示モードがカメラ本体、またカメラヘッドで処理可能であるかがＡｖａｉｌａｂｌｅという文字でそれぞれ示されている。
【００９８】
図１２（ａ）に示すように、画素数が多い表示モードになればなるほど電力消費は増大する。この例では、図１１中の判断ステップＳ６０３１ＢでＨＩＧＨ側に進んだ場合には、図１２（ｂ）に示すように、ＳＸＧＡという表示モードを選択し、電圧が若干低下していると判定したときにはでＭＩＤ（ＤＬＥ）側に進んてＸＧＡであってしかもフレームレートが３０ｆｐｓという表示モードを選択し、さらにＬＯＷ側に進んだ場合には、ＶＧＡという表示モードを選択するようにして消費電力の低減を実現している。
【００９９】
このようにしておくと、電池の残量が少なくなってきたときには表示部の負荷が軽減されるようになるので、電池寿命が延びるという効果が得られる。
【０１００】
さらに、このカメラシステムが電池だけではなく、商用電源からの電力の供給を受けるＡＣアダプタを備えていた場合の例を説明しておく。
【０１０１】
図１３は、ＡＣジャックを設けて商用電源からの電力供給を受けることができるようにした場合の構成を説明する図である。
【０１０２】
図１３に示すようにＤＣＤＣコンバータ１４１ｂに対する入力をセレクタ１４４ｂによりＡＣ入力あるいはＤＣ入力のいずれかに切り替えるようにしている。このときにはＡＣアダプタから延びている電源コードの先端に取り付けられているプラグがＡＣジャック１４５ｂに挿入されたということをＡＣＡＤＰ判断部１４３ｂから本体ＣＰＵに通知するようにしている。またこのときにはセレクタ１４４ｂが自動的に働いてセレクタ１４４ｂ内の経路が自動的にＡＣ入力側に切り替えられるようになっている。
【０１０３】
図１４は、図１３の構成のときにカメラ本体１ｂとカメラヘッド１ａとの間で行なわれる表示に関する初期化処理の手順を示す図である。
【０１０４】
図１１と同様の処理であるが、ＡＣＡＤＰ判断部１４３ｂに行なわせるＡＣアダプタの検出の判断ステップＳ６０３０Ｂにを付加している。商用電源から電力が供給されているときには無条件にステップＳ６０４１Ｂに進んで高画質な表示モードを選択するようにしている。ＡＣアダプタが接続されていないと判定した場合には図１１と同じ処理を行なって電池の消費電力の低減を行なう。
【０１０５】
このように電力の残量やアダプタが接続されたという状況の変化に対応して適応的に電力制御を行なうようにしておくと、より使い勝手の良いカメラシステムになる。
【０１０６】
以上説明したように、スルー画の表示が好適に行なえるカメラシステムが実現される。
また、電池の残量によっては表示画素数を多くすると電力が多く消費されてしまうので、電池の残量に応じて電力の消費を抑えることによってより長い時間の撮影が楽しめるカメラシステムが実現される。
【０１０７】
さらにＡＣアダプタにより商用電源からの電力供給を受けることが可能な構成にしておくと、三脚などにこのカメラシステムを固定しておいてスルー画を見ながらシャッタチャンスに撮影を行なうような撮影も行なえる。
【図面の簡単な説明】
【０１０８】
【図１】本発明の一実施形態であるカメラシステムを示す図である。
【図２】カメラヘッド１がカメラ本体４に装着された状態にあるときの電気系統の構成を示すブロック図である。
【図３】ＩＤ情報と信号変換処理情報とを示す図である。
【図４】図３の信号変換処理情報の意味を説明する図である。
【図５】デジタル信号変換処理部の構成を示す図である。
【図６】カメラヘッドが装着されたときに本体ＣＰＵが行なう表示モードに関する初期化処理の処理手順を示すフローチャートである。
【図７】カメラ本体とカメラヘッドとの双方の表示モードの一覧を示す図である。
【図８】ヘッドＣＰＵおよび本体ＣＰＵの負荷を軽減するため、カメラヘッド側のＡ／Ｄ部の後段にセレクタを設けて経路の選択を簡単に行なうことができるように改良し、さらにカメラ本体側の表示部に表示モード判断設定部を追加してその表示モード判断設定部が表示モード一覧の選択処理を行なうように変形した場合の例を説明する図である。
【図９】図８の構成にしたときにカメラ本体とカメラヘッドとの間で行なわれる表示に関する初期化処理の手順を示す図である。
【図１０】電池残量検出部を設けて電池の残量に応じて表示モードを変更するようにした場合の例を示す図である。
【図１１】図１０の構成のときにカメラ本体とカメラヘッドとの間で行なわれる表示に関する初期化処理の手順を示す図である。
【図１２】表示モードそれぞれの消費電力の違いを説明する図である。
【図１３】ＡＣジャックを設けて商用電源からの電力供給を受けることができるようにした場合の構成を説明する図である。
【図１４】ＡＣジャックにＡＣアダプタが装着されたことを検出するようにした場合の処理を説明する図である。
【符号の説明】
【０１０９】
１  カメラシステム
１ａ  カメラヘッド
１００ａ    電源制御部
１０１ａ    ＤＣ／ＤＣコンバータ
１０３ａ    スルー画信号処理部
１０５ａ    セレクタ
１１ａ    撮影光学系
１２ａ    ＣＣＤ
１３ａ    アナログ信号変換処理部
１４ａ    Ａ／Ｄ部
１５０ａ    高速シリアルドライバ
１５１ａ    ３線シリアルドライバ
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１９２ａ    データＩ／Ｆ
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号変換処理部
１０３１ｂ    オフセット補正部
１０３２ｂ    積算回路
１０３３ｂ    ＷＢゲイン乗算部
１０３４ｂ    リニアＭＴＸ
１０３５ｂ    ガンマ補正部
１０３６ｂ    同時化部
１０３７１ｂ    輪郭補正部
１０３７２ｂ    色差ＭＴＸ
１０３８ｂ    ＪＰＥＧ圧縮部
１０４ｂ    フレームメモリ
１０５ｂ    ＬＣＤ制御部
１０５０ｂ    ＬＣＤ
１０５２ｂ    表示モード判断・設定部
１０６ｂ    カードＩ／Ｆ
１０７ｂ    メモリカードスロット
１０８ｂ    メモリカード
１４２ｂ    電池残量検出部
１４３ｂ      電池残量検出部
１４４ｂ    セレクタ
１４５ｂ    ＡＣジャック
１５０ｂ    高速シリアルドライバ
１５１ｂ    ３線シリアルドライバ
【図１】
2006352435.tif 000003
【図２】
2006352435.tif 000004
【図３】
2006352435.tif 000005
【図４】
2006352435.tif 000006
【図５】
2006352435.tif 000007
【図６】
2006352435.tif 000008
【図７】
2006352435.tif 000009
【図８】
2006352435.tif 000010
【図９】
2006352435.tif 000011
【図１０】
2006352435.tif 000012
【図１１】
2006352435.tif 000013
【図１２】
2006352435.tif 000014
【図１３】
2006352435.tif 000015
【図１４】
2006352435.tif 000016